(57)【要約】【課題】楽曲に関わる著作権、実演家の権利及び原盤権の利用許諾を容易に得ることができる権利管理サーバ、権利管理方法及び権利管理プログラムを提供する。【解決手段】権利管理サーバ２は、楽曲に関わる著作権、実演家の権利及び原盤権の権利保有者あるいは権利管理者を含む権利情報、楽曲の利用条件を保持する楽曲データ保持部１１と、楽曲の権利情報及び利用条件を楽曲データ保持部に登録する登録モジュール１０ｂと、楽曲利用者側の端末装置に、利用を希望する楽曲名を記入する入力画面を提示する入力画面提示モジュール１０ｃと、楽曲利用者側の端末装置より送信された楽曲名に基づき、楽曲データ保持部に保持された楽曲を検索する検索モジュール１０ｄと、楽曲利用者側の端末装置に、検索モジュールによって検索された楽曲の利用条件を提示する条件提示モジュール１０ｅと、楽曲利用者側の端末装置へ楽曲を配信する楽曲配信モジュール１０ｇとを備える。【選択図】図３
2005071270.tif 000002
【特許請求の範囲】
【請求項１】
楽曲に関わる著作権、実演家の権利及び原盤権の利用許諾を管理するサーバであって、
楽曲を創作した著作者が有する著作権、該楽曲を演奏した実演家が有する実演家の権利及び該楽曲を最初にレコードに固定した原盤権者が有する原盤権の３つの権利の権利者名を含む前記楽曲毎の権利情報、及び前記著作者、前記実演家及び前記原盤権者それぞれが受け取る楽曲利用対価の割合を含む利用条件を保持する楽曲データ保持部と、
前記楽曲の権利情報及び利用条件を前記楽曲データ保持部に登録する登録モジュールと、
楽曲利用者側の端末装置からアクセスがあった場合に、前記楽曲利用者側の端末装置に、利用を希望する楽曲名を記入する入力画面を提示する入力画面提示モジュールと、
前記楽曲利用者側の端末装置より送信された楽曲名に基づき、前記楽曲データ保持部に保持された楽曲を検索する検索モジュールと、
前記楽曲利用者側の端末装置に、前記検索モジュールによって検索された楽曲の利用条件を提示する条件提示モジュールと、
前記楽曲データ保持部に保持された利用条件に応じて、前記著作者、前記実演家及び前記原盤権者に、前記楽曲利用対価を配分する対価配分モジュールと、
前記楽曲利用者側の端末装置へ楽曲を配信する楽曲配信モジュールと
を備えることを特徴とする権利管理サーバ。
【請求項２】
前記楽曲データ保持部は、前記著作権、前記実演家の権利及び前記原盤権の移転後の各権利者名、あるいは、前記著作権、前記実演家の権利及び前記原盤権の管理を委託された各管理者名を含む権利情報、及び、前記移転後の各権利者、あるいは、前記各管理者がそれぞれ受け取る楽曲利用対価の割合を含む利用条件を保持し、
前記対価配分モジュールは、前記楽曲利用対価を、前記移転後の各権利者、あるいは、前記各管理者に配分する
ことを特徴とする請求項１に記載の権利管理サーバ。
【請求項３】
前記入力画面提示モジュールは、利用を希望する楽曲の利用条件を入力する画面を前記楽曲利用者側の端末装置に提示し、
前記検索モジュールは、前記楽曲利用者側の端末装置より送信された楽曲名及び利用条件に基づき、前記楽曲データ保持部に保持された楽曲を検索する
ことを特徴とする請求項１又は２に記載の権利管理サーバ。
【請求項４】
前記楽曲配信モジュールは、楽曲の利用条件を記載した契約内容ファイルを添付して、楽曲を配信することを特徴とする請求項１〜３のいずれか１項に記載の権利管理サーバ。
【請求項５】
楽曲に関わる著作権、実演家の権利及び原盤権の利用許諾を管理するサーバが、
楽曲を創作した著作者が有する著作権、該楽曲を演奏した実演家が有する実演家の権利及び該楽曲を最初にレコードに固定した原盤権者が有する原盤権の３つの権利の権利者名を含む前記楽曲毎の権利情報、及び前記著作者、前記実演家及び前記原盤権者それぞれが受け取る楽曲利用対価の割合を含む利用条件を楽曲データ保持部に登録するステップと、
楽曲利用者側の端末装置からアクセスがあった場合に、前記楽曲利用者側の端末装置に、利用を希望する楽曲名を記入する入力画面を提示するステップと、
前記楽曲利用者側の端末装置より送信された楽曲名に基づき、前記楽曲データ保持部に保持された楽曲を検索するステップと、
前記楽曲利用者側の端末装置に、前記検索モジュールによって検索された楽曲の利用条件を提示するステップと、
前記楽曲データ保持部に保持された利用条件に応じて、前記著作者、前記実演家及び前記原盤権者に、前記楽曲利用対価を配分するステップと、
前記楽曲利用者側の端末装置へ楽曲を配信するステップと
を含むことを特徴とする権利管理方法。
【請求項６】
前記登録するステップにおいて、前記著作権、前記実演家の権利及び前記原盤権の移転後の各権利者名、あるいは、前記著作権、前記実演家の権利及び前記原盤権の管理を委託された各管理者名を含む権利情報、及び、前記移転後の各権利者、あるいは、前記各管理者がそれぞれ受け取る楽曲利用対価の割合を含む利用条件を登録し、
前記楽曲対価を配分するステップにおいて、前記楽曲利用対価を、前記移転後の各権利者、あるいは、前記各管理者に配分する
ことを特徴とする請求項５に記載の権利管理方法。
【請求項７】
前記入力画面を提示するステップにおいて、利用を希望する楽曲の利用条件を入力する画面を前記楽曲利用者側の端末装置に提示し、
前記検索するステップにおいて、前記楽曲利用者側の端末装置より送信された楽曲名及び利用条件に基づき、前記楽曲データ保持部に保持された楽曲を検索する
ことを特徴とする請求項５又は６に記載の権利管理方法。
【請求項８】
前記楽曲を配信するステップにおいて、楽曲の利用条件を記載した契約内容ファイルを添付して、楽曲を配信することを特徴とする請求項５〜７のいずれか１項に記載の権利管理方法。
【請求項９】
楽曲に関わる著作権、実演家の権利及び原盤権の利用許諾を管理するサーバに、
楽曲を創作した著作者が有する著作権、該楽曲を演奏した実演家が有する実演家の権利及び該楽曲を最初にレコードに固定した原盤権者が有する原盤権の３つの権利の権利者名を含む前記楽曲毎の権利情報、及び前記著作者、前記実演家及び前記原盤権者それぞれが受け取る楽曲利用対価の割合を含む利用条件を楽曲データ保持部に登録する手順と、
楽曲利用者側の端末装置からアクセスがあった場合に、前記楽曲利用者側の端末装置に、利用を希望する楽曲名を記入する入力画面を提示する手順と、
前記楽曲利用者側の端末装置より送信された楽曲名に基づき、前記楽曲データ保持部に保持された楽曲を検索する手順と、
前記楽曲利用者側の端末装置に、前記検索モジュールによって検索された楽曲の利用条件を提示する手順と、
前記楽曲データ保持部に保持された利用条件に応じて、前記著作者、前記実演家及び前記原盤権者に、前記楽曲利用対価を配分する手順と、
前記楽曲利用者側の端末装置へ楽曲を配信する手順と
を実行させることを特徴とする権利管理プログラム。
【請求項１０】
前記登録する手順において、前記著作権、前記実演家の権利及び前記原盤権の移転後の各権利者名、あるいは、前記著作権、前記実演家の権利及び前記原盤権の管理を委託された各管理者名を含む権利情報、及び、前記移転後の各権利者、あるいは、前記各管理者がそれぞれ受け取る楽曲利用対価の割合を含む利用条件を登録し、
前記楽曲対価を配分する手順において、前記楽曲利用対価を、前記移転後の各権利者、あるいは、前記各管理者に配分する
ことを特徴とする請求項９に記載の権利管理プログラム。
【請求項１１】
前記入力画面を提示する手順において、利用を希望する楽曲の利用条件を入力する画面を前記楽曲利用者側の端末装置に提示し、
前記検索する手順において、前記楽曲利用者側の端末装置より送信された楽曲名及び利用条件に基づき、前記楽曲データ保持部に保持された楽曲を検索する
ことを特徴とする請求項９又は１０に記載の権利管理プログラム。
【請求項１２】
前記楽曲を配信する手順において、楽曲の利用条件を記載した契約内容ファイルを添付して、楽曲を配信することを特徴とする請求項９〜１１のいずれか１項に記載の権利管理プログラム。
【発明の詳細な説明】
【技術分野】
【０００１】
本発明は、楽曲の著作権等の権利を管理する権利管理サーバ、権利管理方法及び権利管理プログラムに関する。
【背景技術】
【０００２】
知的財産権には、特許権、実用新案権、意匠権、商標権、著作権などが含まれる。特許権などは登録により権利が発生し、特許公報等により公開されるので、検索や参照が比較的容易となっているが、著作権は創作により権利が発生するため、これらをデータベース化することは困難である。又、一つの創作物に対して、特許権と意匠権など異なる権利が発生する場合がある。これらの知的財産権を一括管理するために、知的財産権の登録、監視、利用許諾を行う知的財産権管理システムについては、開示されている（例えば、特許文献１参照。）。
【特許文献１】特開２００１−２８２９４７号公報（段落「００２３」〜「００３２」、図１）
【発明の開示】
【発明が解決しようとする課題】
【０００３】
しかし、著作権については、一つの著作物に対し、複数の権利が発生する場合がある。例えば、一つの楽曲が創作され、実演家により演奏され、演奏された楽曲がレコードに固定された場合、創作した著作者が有する著作権、演奏した実演家が有する権利（実演家の権利）、最初にレコードに固定したレコード制作者（以下において、「原盤権者」という。）が有する権利（以下において、「原盤権」という。）、と３つの権利が発生する。
【０００４】
ユーザがこの楽曲を利用したい場合は、著作権、実演家の権利、原盤権の３つの権利の利用許諾を必要とする。又、これらの権利は移転が可能であり、現在のこれらの権利者は、楽曲を創作した著作者、実際に演奏などをした実演家、実際にレコードに固定した原盤権者とは異なる場合がある。更に、これらの権利の管理を他の管理会社などへ委託している場合がある。
【０００５】
この場合、ユーザは、楽曲を利用するために、誰の利用許諾を必要とするか判断し、それぞれの権利者と許諾交渉を行わなければならない。このように、ユーザは煩雑な手続が必要であった。
【０００６】
そこで、本発明は上記の問題点に鑑み、楽曲に関わる著作権、実演家の権利及び原盤権の、３つの権利の利用許諾を容易に得ることができる権利管理サーバ、権利管理方法及び権利管理プログラムを提供することを目的とする。
【課題を解決するための手段】
【０００７】
上記目的を達成するため、本発明の第１の特徴は、楽曲に関わる著作権、実演家の権利及び原盤権の利用許諾を管理するサーバであって、（イ）楽曲を創作した著作者が有する著作権、該楽曲を演奏した実演家が有する実演家の権利及び該楽曲を最初にレコードに固定した原盤権者が有する原盤権の３つの権利の権利者名を含む前記楽曲毎の権利情報、及び前記著作者、前記実演家及び前記原盤権者それぞれが受け取る楽曲利用対価の割合を含む利用条件を保持する楽曲データ保持部と、（ロ）楽曲の権利情報及び利用条件を楽曲データ保持部に登録する登録モジュールと、（ハ）楽曲利用者側の端末装置からアクセスがあった場合に、楽曲利用者側の端末装置に、利用を希望する楽曲名を記入する入力画面を提示する入力画面提示モジュールと、（ニ）楽曲利用者側の端末装置より送信された楽曲名に基づき、楽曲データ保持部に保持された楽曲を検索する検索モジュールと、（ホ）楽曲利用者側の端末装置に、検索モジュールによって検索された楽曲の利用条件を提示する条件提示モジュールと、（へ）前記楽曲データ保持部に保持された利用条件に応じて、前記著作者、前記実演家及び前記原盤権者に、前記楽曲利用対価を配分する対価配分モジュールと、（ト）楽曲利用者側の端末装置へ楽曲を配信する楽曲配信モジュールとを備える権利管理サーバであることを要旨とする。
【０００８】
第１の特徴に係る権利管理サーバによると、楽曲に関わる著作権、実演家の権利及び原盤権の、３つの権利の利用許諾を容易に得ることができる。
【０００９】
又、第１の特徴に係る権利管理サーバの楽曲データ保持部は、前記著作権、前記実演家の権利及び前記原盤権の移転後の各権利者名、あるいは、前記著作権、前記実演家の権利及び前記原盤権の管理を委託された各管理者名を含む権利情報、及び、前記移転後の各権利者、あるいは、前記各管理者がそれぞれ受け取る楽曲利用対価の割合を含む利用条件を保持し、対価配分モジュールは、前記楽曲利用対価を、前記移転後の各権利者、あるいは、前記各管理者に配分してもよい。この権利管理サーバによると、現在の著作権、実演家の権利及び原盤権の各権利者に対して利用許諾を容易に得ることができる。
【００１０】
又、第１の特徴に係る権利管理サーバの入力画面提示モジュールは、利用を希望する楽曲の利用条件を入力する画面を楽曲利用者側の端末装置に提示し、検索モジュールは、楽曲利用者側の端末装置より送信された楽曲名及び利用条件に基づき、前記楽曲データ保持部に保持された楽曲を検索してもよい。この権利管理サーバによると、楽曲利用者側が提示した利用条件に合致した利用条件を提示するサーチエンジン機能を有することができる。
【００１１】
又、第１の特徴に係る権利管理サーバの楽曲配信モジュールは、楽曲の利用条件を記載した契約内容ファイルを添付して、楽曲を配信してもよい。この権利管理サーバによると、容易に契約内容の立証をすることができる。
【００１２】
本発明の第２の特徴は、楽曲に関わる著作権、実演家の権利及び原盤権の利用許諾を管理するサーバが、（イ）楽曲を創作した著作者が有する著作権、該楽曲を演奏した実演家が有する実演家の権利及び該楽曲を最初にレコードに固定した原盤権者が有する原盤権の３つの権利の権利者名を含む前記楽曲毎の権利情報、及び前記著作者、前記実演家及び前記原盤権者それぞれが受け取る楽曲利用対価の割合を含む利用条件を楽曲データ保持部に登録するステップと、（ロ）楽曲利用者側の端末装置からアクセスがあった場合に、前記楽曲利用者側の端末装置に、利用を希望する楽曲名を記入する入力画面を提示するステップと、（ハ）前記楽曲利用者側の端末装置より送信された楽曲名に基づき、前記楽曲データ保持部に保持された楽曲を検索するステップと、（ニ）前記楽曲利用者側の端末装置に、前記検索モジュールによって検索された楽曲の利用条件を提示するステップと、（ホ）前記楽曲データ保持部に保持された利用条件に応じて、前記著作者、前記実演家及び前記原盤権者に、前記楽曲利用対価を配分するステップと、（へ）楽曲利用者側の端末装置へ楽曲を配信するステップとを含む権利管理方法であることを要旨とする。
【００１３】
第２の特徴に係る権利管理方法によると、楽曲に関わる著作権、実演家の権利及び原盤権の、３つの権利の利用許諾を容易に得ることができる。
【００１４】
又、第２の特徴に係る権利管理方法の登録するステップにおいて、前記著作権、前記実演家の権利及び前記原盤権の移転後の各権利者名、あるいは、前記著作権、前記実演家の権利及び前記原盤権の管理を委託された各管理者名を含む権利情報、及び、前記移転後の各権利者、あるいは、前記各管理者がそれぞれ受け取る楽曲利用対価の割合を含む利用条件を登録し、前記楽曲対価を配分するステップにおいて、前記楽曲利用対価を、前記移転後の各権利者、あるいは、前記各管理者に配分してもよい。この権利管理サーバによると、現在の著作権、実演家の権利及び原盤権の各権利者に対して利用許諾を容易に得ることができる。
【００１５】
又、第２の特徴に係る権利管理方法の入力画面を提示するステップにおいて、利用を希望する楽曲の利用条件を入力する画面を楽曲利用者側の端末装置に提示し、検索するステップにおいて、楽曲利用者側の端末装置より送信された楽曲名及び利用条件に基づき、楽曲データ保持部に保持された楽曲を検索してもよい。この権利管理方法によると、楽曲利用者側が提示した利用条件に合致した利用条件を提示するサーチエンジン機能を有することができる。
【００１６】
又、第２の特徴に係る権利管理方法の楽曲を配信するステップにおいて、楽曲の利用条件を記載した契約内容ファイルを添付して、楽曲を配信してもよい。この権利管理方法によると、容易に契約内容の立証をすることができる。
【００１７】
本発明の第３の特徴は、楽曲に関わる著作権、実演家の権利及び原盤権の利用許諾を管理するサーバに、（イ）楽曲を創作した著作者が有する著作権、該楽曲を演奏した実演家が有する実演家の権利及び該楽曲を最初にレコードに固定した原盤権者が有する原盤権の３つの権利の権利者名を含む前記楽曲毎の権利情報、及び前記著作者、前記実演家及び前記原盤権者それぞれが受け取る楽曲利用対価の割合を含む利用条件を楽曲データ保持部に登録する手順と、（ロ）楽曲利用者側の端末装置からアクセスがあった場合に、楽曲利用者側の端末装置に、利用を希望する楽曲名を記入する入力画面を提示する手順と、（ハ）楽曲利用者側の端末装置より送信された楽曲名に基づき、楽曲データ保持部に保持された楽曲を検索する手順と、（ニ）楽曲利用者側の端末装置に、検索モジュールによって検索された楽曲の利用条件を提示する手順と、（ホ）前記楽曲データ保持部に保持された利用条件に応じて、前記著作者、前記実演家及び前記原盤権者に、前記楽曲利用対価を配分する手順と、（へ）楽曲利用者側の端末装置へ楽曲を配信する手順とを実行させることを権利管理プログラムであることを要旨とする。
【００１８】
又、第３の特徴に係る権利管理プログラムの入力画面を提示する手順において、利用を希望する楽曲の利用条件を入力する画面を楽曲利用者側の端末装置に提示し、検索する手順において、楽曲利用者側の端末装置より送信された楽曲名及び利用条件に基づき、楽曲データ保持部に保持された楽曲を検索してもよい。
【００１９】
又、第３の特徴に係る権利管理プログラムの楽曲を配信する手順において、楽曲の利用条件を記載した契約内容ファイルを添付して、楽曲を配信してもよい。
【００２０】
本発明の第３の特徴に係る権利管理プログラムを読み出すことにより、権利管理サーバ等に上記の手順を実行させることが可能となる。
【発明の効果】
【００２１】
本発明によると、楽曲に関わる著作権、実演家の権利及び原盤権の、３つの権利の利用許諾を容易に得ることができる権利管理サーバ、権利管理方法及び権利管理プログラムを提供することができる。
【発明を実施するための最良の形態】
【００２２】
次に、図面を参照して、本発明の実施の形態を説明する。以下の図面の記載において、同一又は類似の部分には、同一又は類似の符号を付している。ただし、図面は模式的なものであることに留意すべきである。 
（権利管理システムの構成）
本発明の実施の形態では、楽曲（音楽）に関わる著作権、実演家の権利、原盤権の３つの権利を管理し、楽曲を利用したいユーザが容易に利用許諾を得ることができる権利管理システムについて説明する。
【００２３】
図１に示すように、楽曲の権利者としては、作詞家、作曲家、編曲家などの著作権２１を有する著作者がいる。又、楽曲を演奏するギタリスト、ヴォーカル、キーボード、ドラマーなどの実演家の権利２２を有する実演家がいる。更に、最初にレコードに楽曲を固定した大手レコード会社、インディーズ、音楽事務所、アーティストなどの原盤権２３を有する原盤権者がいる。１つの楽曲に対して、上述した複数の権利が発生し、楽曲を利用するためには、それぞれの権利者の許諾を必要とする。又、著作権２１、実演家の権利２２、原盤権２３は移転が可能であり、実際にこれらの権利を保有している者は、その楽曲を創作した著作者、演奏した実演家、レコードに固定した原盤権者とは限らない。更に、これらの権利の管理を他の管理会社などへ委託している場合がある。著作権２１、実演家の権利２２、原盤権２３を保有あるいは管理する権利者は、ライセンスエージェントが保有する権利管理サーバ２に、楽曲の権利情報及び楽曲の利用条件を登録することにより、楽曲の利用許諾を行うことができる。権利管理サーバ２については、後に詳述する。
【００２４】
一方、楽曲を利用する楽曲利用者としては、レコード会社３１、飲食店等３２、レンタル店３３、放送局３４、映画会社３５、ウェブサイト３６などが挙げられる。これらは権利管理サーバ２にアクセスすることにより、希望する楽曲の利用許諾を得ることができる。例えば、レコード会社３１は、楽曲の複製権の許諾を得ると、その楽曲のＣＤ４１を発売することができ、飲食店等３２は、楽曲の公衆送信権の許諾を得ると、その楽曲をＢＧＭとして流すことができ、レンタル店３３は、楽曲の貸与権の許諾を得ると、その楽曲のＣＤ４３を貸し出すことができ、放送局３４は、楽曲の公衆送信権（放送権、有線放送権）の許諾を得ると、その楽曲を番組４４で放送することができ、映画会社３５は、楽曲の複製権の許諾を得ると、その楽曲を映画４５の中で使用することができ、ウェブサイト３６は、楽曲の送信可能化権の許諾を得ると、その楽曲をアクセスしたユーザにダウンロード４６させることができる。
【００２５】
本発明の実施の形態に係る権利管理システム１は、図２に示すように、インターネット（通信ネットワーク）５と、このインターネット５に接続された権利管理サーバ２、複数の端末装置３ａ、３ｂ、……、３ｆとから少なくとも構成されている。端末装置３ａ、３ｂ、……、３ｆは、権利管理システム１を利用するユーザの端末装置であり、このユーザには、著作権などの楽曲権利者側とレコード会社などの楽曲利用者側の両方が含まれる。
【００２６】
又、端末装置３ａ、３ｂ、……、３ｆは、携帯電話、パーソナルコンピュータの他、ＰＨＳ、ＰＤＡ、電子手帳等などネットワークに接続できるものを用いることが可能である。
【００２７】
（権利管理サーバの構成）
本発明の実施の形態に係る権利管理サーバ２は、図３に示すように、楽曲に関わる著作権、実演家の権利及び原盤権の利用許諾を管理するサーバであって、楽曲を創作した著作者が有する著作権、該楽曲を演奏した実演家が有する実演家の権利及び該楽曲を最初にレコードに固定した原盤権者が有する原盤権の３つの権利の権利者名を含む前記楽曲毎の権利情報、及び前記著作者、前記実演家及び前記原盤権者それぞれが受け取る楽曲利用対価の割合を含む利用条件を保持する楽曲データ保持部１１と、楽曲の権利情報及び利用条件を楽曲データ保持部に登録する登録モジュール１０ｂと、楽曲利用者側の端末装置３ａ、３ｂ、……、３ｆからアクセスがあった場合に、楽曲利用者側の端末装置３ａ、３ｂ、……、３ｆに、利用を希望する楽曲名を記入する入力画面を提示する入力画面提示モジュール１０ｃと、楽曲利用者側の端末装置３ａ、３ｂ、……、３ｆより送信された楽曲名に基づき、楽曲データ保持部に保持された楽曲を検索する検索モジュール１０ｄと、楽曲利用者側の端末装置３ａ、３ｂ、……、３ｆに、検索モジュールによって検索された楽曲の利用条件を提示する条件提示モジュール１０ｅと、楽曲データ保持部１１に保持された利用条件に応じて、著作者、実演家及び原盤権者に、楽曲利用対価を配分する対価配分モジュール１０ｆ、楽曲利用者側の端末装置３ａ、３ｂ、……、３ｆへ楽曲を配信する楽曲配信モジュール１０ｇとを備える。
【００２８】
本発明の実施の形態に係る権利管理サーバ２は、処理制御装置（ＣＰＵ）１０を有し、接続モジュール１０ａ、登録モジュール１０ｂ、入力画面提示モジュール１０ｃ、検索モジュール１０ｄ、条件提示モジュール１０ｅ、対価配分モジュール１０ｆ、楽曲配信モジュール１０ｇをＣＰＵ１０に内蔵する構成とすることができる。これらのモジュールは、パーソナルコンピュータ等の汎用コンピュータにおいて、所定のプログラム言語を利用するための専用プログラムを実行することにより実現することができる。又、処理制御装置（ＣＰＵ）１０には、楽曲データ保持部１１、プログラム保持部１２、入力部１３、出力部１４が接続されている。
【００２９】
接続モジュール１０ａは、インターネット５と権利管理サーバ２を接続し、データのやりとりを行う。
【００３０】
登録モジュール１０ｂは、著作権などの権利者側の端末装置３ａ、３ｂ、……、３ｆから提示された楽曲の権利情報、利用条件を楽曲データ保持部１１に登録する。又、権利情報等は、インターネット５を介さず、入力部１３を用いて、直接、権利管理サーバ２に登録されてもよい。
【００３１】
入力画面提示モジュール１０ｃは、レコード会社などの楽曲利用者側の端末装置３ａ、３ｂ、……、３ｆからアクセスがあった場合に、どの楽曲をどのような条件で利用したいかを記入する入力画面を端末装置３ａ、３ｂ、……、３ｆに提示する。
【００３２】
検索モジュール１０ｄは、楽曲利用者側の端末装置３ａ、３ｂ、……、３ｆより送信された利用条件に基づき、楽曲データ保持部１１に保持された楽曲を検索する。検索モジュール１０ｄなどによって、権利管理サーバ２は、楽曲利用者側が提示した利用条件に合致した利用条件を提示するサーチエンジン機能を有する。
【００３３】
条件提示モジュール１０ｅは、検索モジュール１０ｄによって検索された楽曲の利用条件を端末装置３ａ、３ｂ、……、３ｆへ提示する。
【００３４】
対価配分モジュール１０ｆは、利用条件に同意した楽曲利用者が支払った利用料金を、楽曲データ保持部１１に保持された利用条件に応じて、著作者、実演家及び原盤権者に配分する。具体的には、銀行の振り込み口座に料金が振り込まれているか、プロバイダの使用料金と共に料金の引き落としが完了しているか、などを確認し、著作者、実演家及び原盤権者に利用料金（対価）を配分する。
【００３５】
楽曲配信モジュール１０ｇは、楽曲利用者側の端末装置３ａ、３ｂ、……、３ｆへ楽曲ファイルを配信する。このとき、契約内容ファイルも同時に送信するようにしてもよい。
【００３６】
楽曲データ保持部１１は、権利者側の端末装置３ａ、３ｂ、……、３ｆなどから送信された楽曲の権利情報、利用条件を保持する。又、楽曲そのものである楽曲ファイルを保持する。
【００３７】
楽曲データには、図４に示すように、楽曲名毎に、権利情報及び利用条件が記載される。権利情報としては、「権利の発生日付」、「アーティスト名」、最初に権利を保有していた者（図４における「オリジナル」）、現在の権利者（図４における「権利保有者」）、権利の管理を委託されている者（図４における「権利管理者」）などが含まれる。オリジナル、権利保有者、権利管理者には、それぞれ著作者、演奏した実演家、最初にレコードに固定した原盤権者の３つの権利が存在する。権利情報には、それぞれの権利者あるいは管理者が記載される。
【００３８】
又、利用条件には、「利用許諾の可否」、「利用条件」、「利用対価」、「権利者のロイヤリティー配分」、「支払い方法」などが含まれる。著作権には、著作物を有形的に再製する複製権、複製物を貸与により公衆に提供する貸与権、著作物を無線通信又は有線電気通信によって送信する公衆送信権、インターネットなど端末（パソコン）からの個々のアクセスに応じて行われる送信（インタラクティブ送信）において、送信行為の前段階の、サーバへの入力等（アップロード）により端末からアクセスできる状態にする送信可能化権などの種々の権利がある。「利用許諾の可否」は、著作権の中のどの権利の利用を許諾するか否かを示す情報である。例えば、楽曲ＡＡＡは、複製権、貸与権について利用することが可能であり、楽曲ＢＢＢは、複製権について利用することができないが、貸与権について利用することが可能である。「利用条件」は、楽曲を利用することができる期間や回数、その対象を規定する。例えば、楽曲ＡＡＡは、２００３年７月１日〜２００４年６月３０日まで利用することができ、楽曲ＢＢＢは、１００回まで利用許諾をすることができる。その他、利用許諾する対象を大手レコード会社に限るなど、様々な条件を規定することができる。「利用対価」は、楽曲を利用するために楽曲利用者が権利者へ支払う料金である。例えば、楽曲ＡＡＡでは、３０万円であり、楽曲ＢＢＢでは、２０万円となる。利用対価は、著作権の中の種類毎（複製権や貸与権）に設定することが可能である。「権利者のロイヤリティー配分」は、著作権、実演家の権利、原盤権のうち、「利用対価」の配分割合を示す。例えば、楽曲ＡＡＡでは、「利用対価」の１００％を原盤権者が受け取り、楽曲ＢＢＢでは、「利用対価」の４０％を著作権者が、３０％を実演家の権利を有する者が、３０％を原盤権者が受け取る。「支払い方法」は「利用対価」の支払い方法を示す。例えば、楽曲ＡＡＡでは、「利用対価」を指定の銀行口座へ振り込むことが必要となり、楽曲ＢＢＢでは、プロバイダの使用料金と同時に権利管理サーバ２が提供したコンテンツ使用料金として、「利用対価」を引き落とすこととなる。その他、支払い方法として、分割支払いが可能であれば、その旨が記載されてもよい。
【００３９】
上述した権利情報及び利用条件などの楽曲データは、楽曲ファイルそのものに重畳されてもよく、楽曲ファイル中の楽曲以外のどこか（ヘッダー）など含まれてもよい。また、楽曲ファイルとは異なる別のファイルとして保持されても構わない。又、権利情報及び利用条件は、暗号化されていてもよく、暗号化されていなくてもよい。楽曲ファイルの複製・改変などの際には、常に楽曲ファイルに付随して楽曲データが継承される。
【００４０】
楽曲データ保持部１１は、ＲＡＭ等の内部記憶装置を用いても良く、ハードディスクやフレキシブルディスク等の外部記憶装置を用いても良い。
【００４１】
プログラム保持部１２は、楽曲の登録処理や入力画面提示処理、楽曲の検索処理などを処理制御装置（ＣＰＵ）１０に実行させるための権利管理プログラムを保存する記憶媒体である。記録媒体は、例えば、ＲＡＭ、ハードディスク、フレキシブルディスク、コンパクトディスク、ＩＣチップ、カセットテープなどが挙げられる。このようなプログラムを保持した記録媒体によれば、プログラムの保存、運搬、販売などを容易に行うことができる。
【００４２】
入力部１３は、キーボード、マウス等の機器を指す。入力部１３から入力操作が行われると対応するキー情報が処理制御装置（ＣＰＵ）１０に伝達される。入力部１３は、楽曲の権利情報や利用条件などを入力することができる。出力部１４は、モニタなどの画面を指し、液晶表示装置（ＬＣＤ）、発光ダイオード（ＬＥＤ）パネル、エレクトロルミネッセンス（ＥＬ）パネル等が使用可能である。この出力部１４は、楽曲データ保持部１１に保持された楽曲データを表示することができる。
【００４３】
本発明の実施の形態に係る権利管理サーバ２によると、楽曲に関わる著作権、実演家の権利及び原盤権の、３つの権利の利用許諾を容易に得ることができる。
【００４４】
（権利管理方法）
次に、本発明の実施の形態に係る権利管理方法について、図５〜７を用いて説明する。
【００４５】
図５は、本発明の実施の形態に係る権利管理サーバ２の処理動作、図６は、権利管理サーバ２と楽曲利用者側の端末装置３ａ、３ｂ、……、３ｆとのタイムチャート、図７は、楽曲利用者側の端末装置３ａ、３ｂ、……、３ｆの画面表示例である。
【００４６】
（イ）まず、ステップＳ１０１において、権利管理サーバ２は、楽曲の登録を行う。即ち、著作権などの権利者側の端末装置３ａ、３ｂ、……、３ｆから提示された楽曲の権利情報、利用条件を楽曲データ保持部１１に保存する。又、権利情報等は、インターネット５を介さず、入力部１３を用いて、直接、権利管理サーバ２に入力されてもよい。
【００４７】
（ロ）次に、端末装置３ａ、３ｂ、……、３ｆからアクセスがあると（図６のステップＳ２０１）、ステップＳ１０２において、権利管理サーバ２は、端末装置３ａ、３ｂ、……、３ｆの画面に入力画面を提示する（図６のステップＳ２０２）。図７（ａ）は、端末装置３ａ、３ｂ、……、３ｆに表示される入力画面例である。図７（ａ）に示すように、楽曲利用者は、楽曲名、アーティスト名、利用期間、予算、利用形態等を選択することができる（図６のステップＳ２０３）。例えば、予算を「３０万円」以下と設定することにより、この予算に合致した楽曲が検索される。このように、本実施形態に係る権利管理方法は、楽曲利用者側が提示した利用条件に合致した利用条件を提示するサーチエンジンを行うことができる。
【００４８】
（ハ）次に、ステップＳ１０３において、権利管理サーバ２は、楽曲の検索処理を行う。即ち、楽曲利用者側の端末装置３ａ、３ｂ、……、３ｆより送信された利用条件に基づき、楽曲データ保持部１１に保持された楽曲を検索する。例えば、楽曲利用者が、楽曲Ａを選択した場合は、楽曲データ保持部１１に保存された情報の中から、楽曲Ａを検索する。このとき、利用期間、予算、利用形態が指定されている場合は、それらの条件に合致した楽曲データを検索する。
【００４９】
（ニ）次に、ステップＳ１０４において、権利管理サーバ２は、端末装置３ａ、３ｂ、……、３ｆの画面に条件を提示する（図６のステップＳ２０４）。図７（ｂ）は、端末装置３ａ、３ｂ、……、３ｆに表示される条件提示画面例である。図７（ｂ）では、楽曲Ａを利用できる期間は、２００３年７月１日〜２００４年６月３０日、利用形態は貸与で、料金は３０万円、支払い方法は銀行振り込みであることが提示されている。楽曲利用者は、提示された利用条件に同意するか否か判断し、端末装置３ａ、３ｂ、……、３ｆに表示された「同意する」あるいは「同意しない」ボタンをクリックする。（図６のステップＳ２０５）。
【００５０】
（ホ）楽曲利用者側の端末装置３ａ、３ｂ、……、３ｆから「同意する」旨の情報が送信された場合、ステップＳ１０５において、権利管理サーバ２は対価配分処理を行う。即ち、権利管理サーバ２は、楽曲データ保持部１１に保持された利用条件の中の「支払い方法」を参照し、所定の銀行サーバから振り込み情報を受信あるいは参照し、料金の支払いは行われたことを確認する。そして、利用条件の中の「権利者のロイヤリティー配分」を参照し、利用対価を著作者、実演家、原盤権者に配分する。例えば、図４に示す楽曲Ａであれば、利用対価３０万円を原盤権者に配分する。楽曲Ｂであれば、利用対価２０万円の４０％を著作者に、３０％を実演家に、３０％を原盤権者に配分する。又、権利が移転され、「権利保有者」の欄に権利者の名前が記載されている場合は、著作権、実演家の権利、原盤権の各権利者へ利用対価を配分する。又、権利の管理を委託しており、「権利管理者」の欄に管理者の名前が記載されている場合は、著作権、実演家の権利、原盤権の各管理者へ利用対価を配分する。利用対価の割り振り先は、オリジナルの著作者、実演家、原盤権者、権利保有者としての著作権者、実演家の権利を有する者、原盤権者、著作権、実演家の権利、原盤権の各管理者が存在し、権利管理サーバ２は、この９人（９社）のどこに、いくら利用対価を配分するかを把握する。
【００５１】
（へ）次に、ステップＳ１０６において、権利管理サーバ２は、端末装置３ａ、３ｂ、……、３ｆに楽曲配信処理を行う（図６のステップＳ２０６）。図７（ｃ）は、端末装置３ａ、３ｂ、……、３ｆに表示される楽曲配信画面例である。図７（ｃ）では、楽曲ファイルと共に、契約内容が添付されて配信されている。契約内容には、利用できる権利に対する権利情報や利用条件が記載される。このように契約内容が添付されることにより、権利を利用できることの立証を容易化することができる。
【００５２】
本発明の実施の形態に係る権利管理方法によると、楽曲に関わる著作権、実演家の権利及び原盤権の、３つの権利の利用許諾を容易に得ることができる。
【００５３】
（本実施形態に係る権利管理サーバ、権利管理方法及び権利管理プログラムの作用及び効果）
従来、利用者が楽曲を利用するためには、その楽曲の権利者を捜し、利用条件を定め、対価を支払うというステップが曲毎に必要であった。本実施形態に係る権利管理サーバ、権利管理方法及び権利管理プログラムによると、楽曲の権利情報や利用条件が容易に参照できることで、許諾作業を大幅に簡略化させることができる。特に、携帯電話の呼び出し音として、メロディだけでなく歌手などの音声も入った楽曲音をダウンロードして使用する場合（いわゆる「着うた」という。）、上述した著作権、実演家の権利、原盤権の利用許諾が必要となり、権利管理サーバ２を使用する効果が高い。
【００５４】
又、利用者と権利者の間に、利用者個々の意見を代弁しない第三者が介入する可能性を排除できる。このような第三者が存在しないので、直接権利者へ利用対価の支払いを行うことができ、権利者の収益が増えるという利点もある。
【００５５】
又、権利者名と権利発生の時間が明確に保持されているため、盗作などの権利侵害の対策となる。
【００５６】
更に、上述した権利管理サーバ、権利管理方法及び権利管理プログラムの仕組みにより、権利情報及び利用条件などが参照可能になった楽曲を映像のＢＧＭなどに利用する場合、新たに権利が発生する。この権利情報及び利用条件を付加することにより、楽曲を扱う様々なコンテンツデータの一括管理が可能になる。
【００５７】
（その他の実施の形態）
本発明は上記の実施の形態によって記載したが、この開示の一部をなす論述及び図面はこの発明を限定するものであると理解すべきではない。この開示から当業者には様々な代替実施の形態、実施例及び運用技術が明らかとなろう。
【００５８】
例えば、本発明の実施の形態に係る権利管理サーバ２において、図３に示すように、楽曲データ保持部１１、プログラム保持部１２を分けて備えると説明したが、一つの保持部で共用しても構わない。又、本発明の実施の形態に係る権利管理サーバ２は、接続モジュール１０ａ、登録モジュール１０ｂ、……、楽曲配信モジュール１０ｇを一つの処理制御装置（ＣＰＵ）１０内にあるとして説明したが、それらが二つあるいはそれ以上の処理制御装置に分かれていても構わない。その際はそれらの処理制御装置間でデータのやりとりが行えるようにバスなどで装置間を接続しているとする。
【００５９】
又、本発明の実施の形態に係る権利管理方法において、支払い確認処理を行った後に楽曲配信処理を行うと説明したが、料金を支払う前に楽曲配信処理を行ってもよい。
【００６０】
又、図７（ｂ）において、利用可能期間、利用形態等を画面に表示すると説明したが、その他、権利者の名前など楽曲の権利情報及び利用条件を表示するようにしても構わない。
【００６１】
このように、本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００６２】
【図１】本実施形態に係る権利管理システムを説明する模式図である。
【図２】本実施形態に係る権利管理システムの構成図である。
【図３】本実施形態に係る権利管理サーバの構成図である。
【図４】本実施形態に係る権利管理サーバが保持する楽曲データの一例である。
【図５】本実施形態に係る権利管理方法のフローチャートである。
【図６】本実施形態に係る権利管理方法のタイムチャートである。
【図７】本実施形態に係る権利管理方法において端末装置に表示される画面例である。
【符号の説明】
【００６３】
１  権利管理システム
２  権利管理サーバ
３ａ、３ｂ、……、３ｆ  端末装置
１０  処理制御装置（ＣＰＵ）
１０ａ  接続モジュール
１０ｂ  登録モジュール
１０ｃ  入力画面提示モジュール
１０ｄ  検索モジュール
１０ｅ  条件提示モジュール
１０ｆ  対価配分モジュール
１０ｇ  楽曲配信モジュール
１１  楽曲データ保持部
１２  プログラム保持部
１３  入力部
１４  出力部
【図１】
2005071270.tif 000003
【図２】
2005071270.tif 000004
【図３】
2005071270.tif 000005
【図４】
2005071270.tif 000006
【図５】
2005071270.tif 000007
【図６】
2005071270.tif 000008
【図７】
2005071270.tif 000009
【手続補正書】
【提出日】平成16年11月22日(2004.11.22)
【手続補正１】
【補正対象書類名】特許請求の範囲
【補正対象項目名】請求項１
【補正方法】変更
【補正の内容】
【請求項１】
楽曲に関わる著作権、実演家の権利及び原盤権の利用許諾を管理するサーバであって、
楽曲を創作した著作者が有する著作権、該楽曲を演奏した実演家が有する実演家の権利及び該楽曲を最初にレコードに固定した原盤権者が有する原盤権の３つの権利の権利者名を含む前記楽曲毎の権利情報、及び、前記著作者、前記実演家及び前記原盤権者それぞれが受け取る楽曲利用対価の割合と、著作権の中のどの権利の利用を許諾するか否かを示す情報とを含む利用条件を保持する楽曲データ保持部と、
前記楽曲の権利情報及び利用条件を前記楽曲データ保持部に登録する登録モジュールと、
楽曲利用者側の端末装置からアクセスがあった場合に、前記楽曲利用者側の端末装置に、利用を希望する楽曲名を記入する入力画面を提示する入力画面提示モジュールと、
前記楽曲利用者側の端末装置より送信された楽曲名に基づき、前記楽曲データ保持部に保持された楽曲を検索する検索モジュールと、
前記楽曲利用者側の端末装置に、前記検索モジュールによって検索された楽曲の利用条件を提示する条件提示モジュールと、
前記楽曲データ保持部に保持された利用条件に応じて、前記著作者、前記実演家及び前記原盤権者に、前記楽曲利用対価を配分する対価配分モジュールと、
前記楽曲利用者側の端末装置へ楽曲を配信する楽曲配信モジュールと
を備えることを特徴とする権利管理サーバ。
【手続補正２】
【補正対象書類名】特許請求の範囲
【補正対象項目名】請求項５
【補正方法】変更
【補正の内容】
【請求項５】
楽曲に関わる著作権、実演家の権利及び原盤権の利用許諾を管理するサーバが、
楽曲を創作した著作者が有する著作権、該楽曲を演奏した実演家が有する実演家の権利及び該楽曲を最初にレコードに固定した原盤権者が有する原盤権の３つの権利の権利者名を含む前記楽曲毎の権利情報、及び、前記著作者、前記実演家及び前記原盤権者それぞれが受け取る楽曲利用対価の割合と、著作権の中のどの権利の利用を許諾するか否かを示す情報とを含む利用条件を楽曲データ保持部に登録するステップと、
楽曲利用者側の端末装置からアクセスがあった場合に、前記楽曲利用者側の端末装置に、利用を希望する楽曲名を記入する入力画面を提示するステップと、
前記楽曲利用者側の端末装置より送信された楽曲名に基づき、前記楽曲データ保持部に保持された楽曲を検索するステップと、
前記楽曲利用者側の端末装置に、前記検索された楽曲の利用条件を提示するステップと、
前記楽曲データ保持部に保持された利用条件に応じて、前記著作者、前記実演家及び前記原盤権者に、前記楽曲利用対価を配分するステップと、
前記楽曲利用者側の端末装置へ楽曲を配信するステップと
を含むことを特徴とする権利管理方法。
【手続補正３】
【補正対象書類名】特許請求の範囲
【補正対象項目名】請求項９
【補正方法】変更
【補正の内容】
【請求項９】
楽曲に関わる著作権、実演家の権利及び原盤権の利用許諾を管理するサーバに、
楽曲を創作した著作者が有する著作権、該楽曲を演奏した実演家が有する実演家の権利及び該楽曲を最初にレコードに固定した原盤権者が有する原盤権の３つの権利の権利者名を含む前記楽曲毎の権利情報、及び前記著作者、前記実演家及び前記原盤権者それぞれが受け取る楽曲利用対価の割合と、著作権の中のどの権利の利用を許諾するか否かを示す情報とを含む利用条件を楽曲データ保持部に登録する手順と、
楽曲利用者側の端末装置からアクセスがあった場合に、前記楽曲利用者側の端末装置に、利用を希望する楽曲名を記入する入力画面を提示する手順と、
前記楽曲利用者側の端末装置より送信された楽曲名に基づき、前記楽曲データ保持部に保持された楽曲を検索する手順と、
前記楽曲利用者側の端末装置に、前記検索された楽曲の利用条件を提示する手順と、
前記楽曲データ保持部に保持された利用条件に応じて、前記著作者、前記実演家及び前記原盤権者に、前記楽曲利用対価を配分する手順と、
前記楽曲利用者側の端末装置へ楽曲を配信する手順と
を実行させることを特徴とする権利管理プログラム。
【手続補正４】
【補正対象書類名】明細書
【補正対象項目名】０００７
【補正方法】変更
【補正の内容】
【０００７】
上記目的を達成するため、本発明の第１の特徴は、楽曲に関わる著作権、実演家の権利及び原盤権の利用許諾を管理するサーバであって、（イ）楽曲を創作した著作者が有する著作権、該楽曲を演奏した実演家が有する実演家の権利及び該楽曲を最初にレコードに固定した原盤権者が有する原盤権の３つの権利の権利者名を含む前記楽曲毎の権利情報、及び、前記著作者、前記実演家及び前記原盤権者それぞれが受け取る楽曲利用対価の割合と、著作権の中のどの権利の利用を許諾するか否かを示す情報とを含む利用条件を保持する楽曲データ保持部と、（ロ）楽曲の権利情報及び利用条件を楽曲データ保持部に登録する登録モジュールと、（ハ）楽曲利用者側の端末装置からアクセスがあった場合に、楽曲利用者側の端末装置に、利用を希望する楽曲名を記入する入力画面を提示する入力画面提示モジュールと、（ニ）楽曲利用者側の端末装置より送信された楽曲名に基づき、楽曲データ保持部に保持された楽曲を検索する検索モジュールと、（ホ）楽曲利用者側の端末装置に、検索モジュールによって検索された楽曲の利用条件を提示する条件提示モジュールと、（へ）前記楽曲データ保持部に保持された利用条件に応じて、前記著作者、前記実演家及び前記原盤権者に、前記楽曲利用対価を配分する対価配分モジュールと、（ト）楽曲利用者側の端末装置へ楽曲を配信する楽曲配信モジュールとを備える権利管理サーバであることを要旨とする。
【手続補正５】
【補正対象書類名】明細書
【補正対象項目名】００１２
【補正方法】変更
【補正の内容】
【００１２】
本発明の第２の特徴は、楽曲に関わる著作権、実演家の権利及び原盤権の利用許諾を管理するサーバが、（イ）楽曲を創作した著作者が有する著作権、該楽曲を演奏した実演家が有する実演家の権利及び該楽曲を最初にレコードに固定した原盤権者が有する原盤権の３つの権利の権利者名を含む前記楽曲毎の権利情報、及び、前記著作者、前記実演家及び前記原盤権者それぞれが受け取る楽曲利用対価の割合と、著作権の中のどの権利の利用を許諾するか否かを示す情報とを含む利用条件を楽曲データ保持部に登録するステップと、（ロ）楽曲利用者側の端末装置からアクセスがあった場合に、前記楽曲利用者側の端末装置に、利用を希望する楽曲名を記入する入力画面を提示するステップと、（ハ）前記楽曲利用者側の端末装置より送信された楽曲名に基づき、前記楽曲データ保持部に保持された楽曲を検索するステップと、（ニ）前記楽曲利用者側の端末装置に、前記検索された楽曲の利用条件を提示するステップと、（ホ）前記楽曲データ保持部に保持された利用条件に応じて、前記著作者、前記実演家及び前記原盤権者に、前記楽曲利用対価を配分するステップと、（へ）楽曲利用者側の端末装置へ楽曲を配信するステップとを含む権利管理方法であることを要旨とする。
【手続補正６】
【補正対象書類名】明細書
【補正対象項目名】００１７
【補正方法】変更
【補正の内容】
【００１７】
本発明の第３の特徴は、楽曲に関わる著作権、実演家の権利及び原盤権の利用許諾を管理するサーバに、（イ）楽曲を創作した著作者が有する著作権、該楽曲を演奏した実演家が有する実演家の権利及び該楽曲を最初にレコードに固定した原盤権者が有する原盤権の３つの権利の権利者名を含む前記楽曲毎の権利情報、及び、前記著作者、前記実演家及び前記原盤権者それぞれが受け取る楽曲利用対価の割合と、著作権の中のどの権利の利用を許諾するか否かを示す情報とを含む利用条件を楽曲データ保持部に登録する手順と、（ロ）楽曲利用者側の端末装置からアクセスがあった場合に、楽曲利用者側の端末装置に、利用を希望する楽曲名を記入する入力画面を提示する手順と、（ハ）楽曲利用者側の端末装置より送信された楽曲名に基づき、楽曲データ保持部に保持された楽曲を検索する手順と、（ニ）楽曲利用者側の端末装置に、前記検索された楽曲の利用条件を提示する手順と、（ホ）前記楽曲データ保持部に保持された利用条件に応じて、前記著作者、前記実演家及び前記原盤権者に、前記楽曲利用対価を配分する手順と、（へ）楽曲利用者側の端末装置へ楽曲を配信する手順とを実行させることを権利管理プログラムであることを要旨とする。